(57)【要約】【課題】嵌合及び離脱に要する操作力を抑えて良好な操作性が確保された電源回路遮断装置を提供すること。【解決手段】メインスイッチ部ＭＳｗは、第１コネクタハウジング１０に設けられた第１端子１３と、第２コネクタハウジング２０に設けられて第１端子１３に対して第１コネクタハウジング１０に対する第２コネクタハウジング２０の挿抜方向Ａに摺接して導通する複数の接触片３５Ａ，３５Ｂを有する第２端子２４と、を備え、第２端子２４は、本嵌合状態で全ての接触片３５Ａ，３５Ｂが前記第１端子１３に接触され、仮嵌合状態で一部の接触片３５Ａが第１端子１３に接触されるとともに他の接触片３５Ｂが第１端子１３から離脱される。【選択図】図１６
2020145040.tif 000002
【特許請求の範囲】
【請求項１】
第１コネクタハウジングと、
前記第１コネクタハウジングに嵌合及び離脱される第２コネクタハウジングと、
前記第１コネクタハウジングに対する前記第２コネクタハウジングの嵌合及び離脱によってオン・オフされるメインスイッチ部及びサブスイッチ部と、を備えた電源回路遮断装置であって、
前記メインスイッチ部は、前記第１コネクタハウジングに設けられた第１端子と、前記第２コネクタハウジングに設けられて前記第１端子に対して前記第１コネクタハウジングに対する前記第２コネクタハウジングの挿抜方向に摺接して導通する複数の接触片を有する第２端子とを有し、前記第１コネクタハウジングに対して前記第２コネクタハウジングを完全嵌合させた本嵌合状態及び前記本嵌合状態から前記第２コネクタハウジングが離脱方向へ変位されて前記第１コネクタハウジングに対して一部が嵌合された仮嵌合状態でオン状態とされ、
前記サブスイッチ部は、前記本嵌合状態でオン状態とされ、
前記第２端子は、前記本嵌合状態で全ての前記接触片が前記第１端子に接触され、前記仮嵌合状態で一部の前記接触片が前記第１端子に接触されるとともに他の前記接触片が前記第１端子から離脱される
ことを特徴とする電源回路遮断装置。
【請求項２】
前記第１コネクタハウジングに対して前記本嵌合状態から離脱方向へ変位される前記第２コネクタハウジングを前記仮嵌合状態で一旦ロックするサブロック部を備える
ことを特徴とする請求項１に記載の電源回路遮断装置。
【請求項３】
前記第２端子は、
前記挿抜方向に沿って前記第１端子へ向かって延在する３つの前記接触片を有し、
中央の前記接触片に対して両側の前記接触片が短くされ、
前記仮嵌合状態において、前記第１端子に対して、中央の前記接触片が接触して両側の前記接触片が離脱する
ことを特徴とする請求項１または請求項２に記載の電源回路遮断装置。
【請求項４】
前記第２コネクタハウジングは、
回動可能に支持されたレバーを備え、
前記レバーが回動されることで、前記第１コネクタハウジングに対する嵌合力及び離脱力が付与される
ことを特徴とする請求項１〜３のいずれか一項に記載の電源回路遮断装置。
【発明の詳細な説明】
【技術分野】
【０００１】
本発明は、電源回路遮断装置に関する。
【背景技術】
【０００２】
例えば、電気自動車やハイブリッド車等の車両には、電気系統のメンテナンス等での作業安全性を確保するために、電源と負荷との間の通電を遮断するサービスプラグといわれる電源回路遮断装置が設けられる。この種の電源回路遮断装置としては、信号回路スイッチのオフから電源回路スイッチがオンになるまでにタイムラグを持たせ、信号回路スイッチのオフ後の残留電流に起因するスパークやアーク等の発生を抑制するものがある（例えば、特許文献１参照）。
【０００３】
この電源回路遮断装置は、互いに嵌合される二つのハウジングと、ハウジング同士を着脱させる際に回動操作されるレバーとを備えている。また、この電源回路遮断装置は、レバーを回動させてハウジング同士を離脱させる際に、信号回路スイッチがオフ状態となった時点でレバーを一旦ロックさせることで、電源回路スイッチと信号回路スイッチのオン・オフのタイムラブを確実に生じさせる第２ロック部を備えている。そして、この電源回路遮断装置では、第２ロック部によってレバーが一旦ロックされた後に、第２ロック部によるロックを解除させてレバーを再度回動させることで電源回路スイッチがオフされる。
【先行技術文献】
【特許文献】
【０００４】
【特許文献１】特開２０１２−２４３５５９号公報
【発明の概要】
【発明が解決しようとする課題】
【０００５】
ところで、ハウジング同士の離脱操作時に第２ロック部によってレバーが一旦ロックされると、電源回路スイッチの互いに摺接していた端子同士が一旦止まることとなる。したがって、第２ロック部によるロックを解除してレバーを再度回動させる際に、端子同士の間には、摺接時に生じていた動摩擦より大きな静摩擦が生じることとなる。このため、レバーの再回動時に大きな操作力が必要であった。
【０００６】
本発明は、上述した事情に鑑みてなされたものであり、その目的は、嵌合及び離脱に要する操作力を抑えて良好な操作性が確保された電源回路遮断装置を提供することにある。
【課題を解決するための手段】
【０００７】
本発明の上記目的は、下記構成により達成される。
（１）  第１コネクタハウジングと、
前記第１コネクタハウジングに嵌合及び離脱される第２コネクタハウジングと、
前記第１コネクタハウジングに対する前記第２コネクタハウジングの嵌合及び離脱によってオン・オフされるメインスイッチ部及びサブスイッチ部と、を備えた電源回路遮断装置であって、
前記メインスイッチ部は、前記第１コネクタハウジングに設けられた第１端子と、前記第２コネクタハウジングに設けられて前記第１端子に対して前記第１コネクタハウジングに対する前記第２コネクタハウジングの挿抜方向に摺接して導通する複数の接触片を有する第２端子とを有し、前記第１コネクタハウジングに対して前記第２コネクタハウジングを完全嵌合させた本嵌合状態及び前記本嵌合状態から前記第２コネクタハウジングが離脱方向へ変位されて前記第１コネクタハウジングに対して一部が嵌合された仮嵌合状態でオン状態とされ、
前記サブスイッチ部は、前記本嵌合状態でオン状態とされ、
前記第２端子は、前記本嵌合状態で全ての前記接触片が前記第１端子に接触され、前記仮嵌合状態で一部の前記接触片が前記第１端子に接触されるとともに他の前記接触片が前記第１端子から離脱される
ことを特徴とする電源回路遮断装置。
【０００８】
上記（１）の構成の電源回路遮断装置によれば、第２コネクタハウジングが本嵌合状態から仮嵌合状態とされるとき、サブスイッチ部はオフ状態とされるが、メインスイッチ部はオン状態に維持される。したがって、サブスイッチ部に対してメインスイッチ部がオフ状態とされるタイミングを遅らせることで、残留電流によるアークやスパーク等の発生を抑制することができる。
更に、本嵌合状態で全ての接触片が第１端子に接触されていた第２端子は、仮嵌合状態とされた際に、一部の接触片が第１端子に接触されるとともに他の接触片が第１端子から離脱される。したがって、仮嵌合状態から第１コネクタハウジングに対して第２コネクタハウジングを離脱させる際に必要となる操作力を大幅に低減させることができ、操作性を高めることができる。
また、第１コネクタハウジングに対して第２コネクタハウジングを嵌合させる際には、その嵌合途中で第２端子の一部の接触片が第１端子に接触した後に他の接触片が第１端子に接触する。したがって、嵌合作業時に要する操作力が段階的に大きくなるため、嵌合作業時に要する操作力が一度に大きくなることによる作業者への負担を軽減させることができる。
【０００９】
（２）  前記第１コネクタハウジングに対して前記本嵌合状態から離脱方向へ変位される前記第２コネクタハウジングを前記仮嵌合状態で一旦ロックするサブロック部を備える
ことを特徴とする上記（１）に記載の電源回路遮断装置。
【００１０】
上記（２）の構成の電源回路遮断装置によれば、第２コネクタハウジングが本嵌合状態から仮嵌合状態とされた際に、サブロック部によって第２コネクタハウジングが一旦ロックされて第１コネクタハウジングに対する第２コネクタハウジングの離脱操作が一旦停止される。したがって、サブスイッチ部がオフ状態とされた直後にメインスイッチ部がオフ状態とされることで生じる残留電流によるアークやスパーク等の発生を確実に抑制することができる。
なお、離脱操作が一旦停止されると、第１端子に摺接していた第２端子の接触片は摺接時に生じていた動摩擦より大きな静摩擦が生じることとなる。しかし、第２端子は、仮嵌合状態とされた際に、一部の接触片が第１端子に接触されるとともに他の接触片が第１端子から離脱されるので、サブロック部によるロックを解除して仮嵌合状態から第１コネクタハウジングに対して第２コネクタハウジングを離脱させる際に必要となる操作力を大幅に低減させることができ、離脱時における操作性を高めることができる。
【００１１】
（３）  前記第２端子は、
前記挿抜方向に沿って前記第１端子へ向かって延在する３つの前記接触片を有し、
中央の前記接触片に対して両側の前記接触片が短くされ、
前記仮嵌合状態において、前記第１端子に対して、中央の前記接触片が接触して両側の前記接触片が離脱する
ことを特徴とする上記（１）または（２）に記載の電源回路遮断装置。
【００１２】
上記（３）の構成の電源回路遮断装置によれば、仮嵌合状態において、第１端子に対して、中央の接触片が接触して両側の接触片が離脱する。これにより、第１コネクタハウジングに対する第２コネクタハウジングの嵌合及び離脱時に要する操作力を確実に段階的にすることができる。また、３つの接触片のうちの両側の接触片を短くしている。つまり、中央の接触片が両側の接触片よりも長くされて仮嵌合状態において第１端子に接触する構造とされている。これにより、仮嵌合状態において第１端子に対して第２端子に傾きが生じていたとしても、その傾きに影響されることなく中央の接触片を第１端子に接触させた状態にできる。これにより、寸法公差の設定の緩和及び小型化を図ることができ、コストを抑えることができる。
【００１３】
（４）  前記第２コネクタハウジングは、
回動可能に支持されたレバーを備え、
前記レバーが回動されることで、前記第１コネクタハウジングに対する嵌合力及び離脱力が付与される
ことを特徴とする上記（１）〜（３）のいずれか一つに記載の電源回路遮断装置。
【００１４】
上記（４）の構成の電源回路遮断装置によれば、レバーを回動させることで、第１コネクタハウジングに対する第２コネクタハウジングの嵌合及び離脱を小さな操作力で容易に行うことができる。これにより、より操作性に優れた電源遮断回路装置を提供できる。
【発明の効果】
【００１５】
本発明によれば、嵌合及び離脱に要する操作力を抑えて良好な操作性が確保された電源回路遮断装置を提供できる。
【００１６】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１７】
【図１】本発明の一実施形態に係る電源回路遮断装置の第１コネクタハウジング及び第２コネクタハウジングの斜視図である。
【図２】本実施形態に係る電源回路遮断装置の第１コネクタハウジング及び第２コネクタハウジングの長手方向に沿う断面図である。
【図３】第１コネクタハウジングの分解斜視図である。
【図４】第２コネクタハウジングの分解斜視図である。
【図５】第２コネクタハウジングに設けられる第２端子の斜視図である。
【図６】レバーを断面視した仮嵌合状態の電源回路遮断装置の側面図である。
【図７】着脱操作状態の電源回路遮断装置の側面図である。
【図８】着脱操作状態の電源回路遮断装置を示す図であって、図８（ａ）は電源回路遮断装置の長手方向に沿う断面図、図８（ｂ）はメインスイッチ部及びサブスイッチ部の側面図である。
【図９】着脱操作状態におけるメインスイッチ部を示す図であって、図９（ａ）は図７におけるＣ−Ｃ断面図、図９（ｂ）はメインスイッチ部の斜視図である。
【図１０】着脱操作状態におけるサブスイッチ部を示す図であって、図１０（ａ）は図７におけるＤ−Ｄ断面図、図１０（ｂ）はサブスイッチ部の側面図である。
【図１１】本嵌合状態の電源回路遮断装置の側面図である。
【図１２】本嵌合状態の電源回路遮断装置を示す図であって、図１２（ａ）は電源回路遮断装置の長手方向に沿う断面図、図１２（ｂ）はメインスイッチ部及びサブスイッチ部の側面図である。
【図１３】本嵌合状態におけるメインスイッチ部を示す図であって、図１３（ａ）は図１１におけるＦ−Ｆ断面図、図９（ｂ）はメインスイッチ部の斜視図である。
【図１４】本嵌合状態におけるサブスイッチ部を示す図であって、図１４（ａ）は図１１におけるＧ−Ｇ断面図、図１０（ｂ）はサブスイッチ部の側面図である。
【図１５】仮嵌合状態の電源回路遮断装置の側面図である。
【図１６】仮嵌合状態の電源回路遮断装置を示す図であって、図１６（ａ）は電源回路遮断装置の長手方向に沿う断面図、図１６（ｂ）はメインスイッチ部及びサブスイッチ部の側面図である。
【図１７】仮嵌合状態におけるメインスイッチ部を示す図であって、図１７（ａ）は図１５におけるＬ−Ｌ断面図、図１７（ｂ）はメインスイッチ部の斜視図である。
【図１８】仮嵌合状態におけるサブスイッチ部を示す図であって、図１８（ａ）は図１５におけるＭ−Ｍ断面図、図１８（ｂ）はサブスイッチ部の側面図である。
【図１９】参考例に係る第２端子の斜視図である。
【発明を実施するための形態】
【００１８】
以下、本発明に係る実施の形態の例を、図面を参照して説明する。
図１は、本発明の一実施形態に係る電源回路遮断装置１の第１コネクタハウジング１０及び第２コネクタハウジング２０の斜視図である。図２は、本実施形態に係る電源回路遮断装置１の第１コネクタハウジング１０及び第２コネクタハウジング２０の長手方向に沿う断面図である。
【００１９】
図１及び図２に示すように、本実施形態に係る電源回路遮断装置１は、第１コネクタハウジング１０と、第２コネクタハウジング２０とを備えている。第２コネクタハウジング２０は、第１コネクタハウジング１０に対して嵌合及び離脱される。第２コネクタハウジング２０は、レバー４０を備えている。レバー４０は、第２コネクタハウジング２０に対して回動可能に設けられており、このレバー４０を回動させることで、第２コネクタハウジング２０と第１コネクタハウジング１０との間に嵌合力及び離脱力を付与する。そして、このレバー４０の回動によって、第１コネクタハウジング１０と第２コネクタハウジング２０とは、挿抜方向Ａに沿って移動されて互いに嵌合及び離脱される。
【００２０】
本実施形態の電源回路遮断装置１は、例えば、電気自動車やハイブリッド車などの車両において、電気系統のメンテナンス等での作業安全性を確保するため、電源部と負荷間の通電を遮断する、いわゆるサービスプラグである。具体的には、第１コネクタハウジング１０に対して第２コネクタハウジング２０が嵌合されることで、電源部と負荷間が通電可能とされ、第１コネクタハウジング１０から第２コネクタハウジング２０が離脱されることで、電源部と負荷間の通電が遮断される。
【００２１】
第１コネクタハウジング１０は、電気絶縁性を有する合成樹脂から成形されている。第１コネクタハウジング１０は、外周へ張り出すフランジ部１０ａを有しており、このフランジ部１０ａをケースに固定することで電源装置等に取り付けられる。また、第１コネクタハウジング１０の一端側には、フランジ部１０ａに、収容部１９が形成されている。
【００２２】
第１コネクタハウジング１０は、上面が開放された収容筒部１２を有している。収容筒部１２は、平面視長円形状に形成されている。また、第１コネクタハウジング１０の収容筒部１２の両側部には、側壁部１１が立設されており、これらの側壁部１１には、第１コネクタハウジング１０の他端寄りに、支点突起１１ａが形成されている。
【００２３】
第２コネクタハウジング２０は、電気絶縁性を有する合成樹脂から成形されたもので、外周筒部２１と、外周筒部２１の内側の内周筒部２２とを有している。第２コネクタハウジング２０には、外周筒部２１の両側面に、一対の支持軸２３が突設されている。第２コネクタハウジング２０の外周筒部２１の両側面における一端寄りには、一対のメインロック突起２８が形成されている。また、第２コネクタハウジング２０の外周筒部２１の一端には、一対のサブロック爪２９が形成されている。これらのサブロック爪２９は、第２コネクタハウジング２０の上部から外側へ張り出している。
【００２４】
第２コネクタハウジング２０の内周筒部２２は、第１コネクタハウジング１０の収容筒部１２の外形よりも僅かに小さな平面視長円形状に形成されている。第２コネクタハウジング２０は、内周筒部２２が第１コネクタハウジング１０の収容筒部１２に嵌合されるように、収容筒部１２の上方から嵌め込まれる。そして、この内周筒部２２を収容筒部１２に嵌め込むことで、収容筒部１２が内周筒部２２と外周筒部２１との間に入り込む。
【００２５】
図３は、第１コネクタハウジング１０の分解斜視図である。
図３に示すように、第１コネクタハウジング１０には、収容筒部１２の内部に、導電性金属材料から形成された側面視Ｌ字状のバスバーからなる一対の第１端子１３が設けられている。第１端子１３は、その一端部が雄端子部１４とされており、雄端子部１４に対して直交する方向に延びる他端部が接続部１６とされている。それぞれの第１端子１３の雄端子部１４は、第１コネクタハウジング１０の一部からなる絶縁板部１７を挟んで配置される。第１端子１３の雄端子部１４には、その表面に、挿抜方向Ａに沿う複数の突条部１４ａが形成されている。本例では、それぞれの雄端子部１４に６つの突条部１４ａが形成されている。これらの突条部１４ａは、互いに間隔をあけて配置されている。第１端子１３の接続部１６には、電源装置等から延びた電源線２が接続される。また、第１コネクタハウジング１０には、収容筒部１２の内部に、ハウジング１８を介して雌端子からなるサブ端子４が設けられている。このサブ端子４には、信号線３が接続される。
【００２６】
図４は、第２コネクタハウジング２０の分解斜視図である。
図４に示すように、第２コネクタハウジング２０は、環状のシール部材３０が、外周筒部２１と内周筒部２２との間に嵌合されてロアハウジング５０により固定されている。シール部材３０は、第１コネクタハウジング１０と第２コネクタハウジング２０との嵌合時に収容筒部１２の内周面に密着し、収容筒部１２と内周筒部２２との間をシールする。
【００２７】
第２コネクタハウジング２０には、その内部に、導電性金属材料から形成された二つの第２端子２４が設けられている。第２端子２４は、一対の接点板部２５を有する側面視略Ｕ字状に形成されている。第２コネクタハウジング２０内に収容されたこれら第２端子２４は、内周筒部２２に嵌合されたロアハウジング５０により固定されている。
そして、第２端子２４の接点板部２５の間には、第１コネクタハウジング１０の絶縁板部１７を挟んで配置された一対の第１端子１３の雄端子部１４が挿し込まれる。この第２端子２４の接点板部２５間に第１端子１３の雄端子部１４が挿し込まれると、一対の第１端子１３にそれぞれ接続された電源線２同士が第２端子２４を介して電気的に接続される。
【００２８】
第２コネクタハウジング２０の内周筒部２２の内部には、導電性金属材料から形成されたショート端子２６が設けられている。このショート端子２６は、一対の雄端子部２７を有している。このショート端子２６の雄端子部２７は、第１コネクタハウジング１０の一対のサブ端子４に接続可能とされている。このショート端子２６の雄端子部２７がサブ端子４にそれぞれ接続されると、サブ端子４に接続された信号線３同士がショート端子２６を介して電気的に接続される。
【００２９】
このように、電源回路遮断装置１は、第１端子１３と第２端子２４とからなるメインスイッチ部ＭＳｗと、サブ端子４とショート端子２６とからなるサブスイッチ部ＳＳｗとを備えている（図８の（ｂ）参照）。この電源回路遮断装置１を備えた電源装置等では、メインスイッチ部ＭＳｗがオン状態とされて電源線２同士が電気的に接続されることで電源回路が形成され、サブスイッチ部ＳＳｗがオン状態とされて信号線３同士が電気的に接続されることで信号回路が形成される。そして、電源回路遮断装置１を備えた電源装置等では、メインスイッチ部ＭＳｗがオン状態となって電源回路が形成されたとしても、サブスイッチ部ＳＳｗがオン状態となって信号回路が形成されない限り電源回路を導通状態としないよう構成されている。即ち、メインスイッチ部ＭＳｗとサブスイッチ部ＳＳｗが共にオン状態となって初めて電源回路を導通状態とすることができる。
【００３０】
図５は、第２コネクタハウジング２０に設けられる第２端子２４の斜視図である。
図５に示すように、第２端子２４は、それぞれの接点板部２５が、挿抜方向Ａに沿って延在する複数の接触片３５Ａ，３５Ｂを有している。本実施形態では、それぞれの接点板部２５に、３つの接触片３５Ａ，３５Ｂが形成されている。これらの接触片３５Ａ，３５Ｂは、第１端子１３の雄端子部１４側へ突出する接点３６を有している。これらの接触片３５Ａ，３５Ｂは、中央の接触片３５Ａに対して両側の接触片３５Ｂの長さが短くされている。これにより、中央の接触片３５Ａの接点３６の雄端子部１４に対する接触位置と両側の接触片３５Ｂの接点３６の雄端子部１４に対する接触位置とが挿抜方向Ａにずらされている。具体的には、雄端子部１４に対する中央の接触片３５Ａの接点３６の接触位置よりも両側の接触片３５Ｂの接点３６の接触位置が、第１コネクタハウジング１０に対する第２コネクタハウジング２０の離脱方向側にずらされている。
【００３１】
図１、図２及び図４に示すように、レバー４０は、合成樹脂から成形されたもので、一対のアーム部４１と、連結部４２とを有している。アーム部４１は、一端側が連結部４２によって連結されており、他端近傍に軸受孔４４を有している。アーム部４１の軸受孔４４には、第２コネクタハウジング２０の支持軸２３が挿入されており、これにより、レバー４０は、第２コネクタハウジング２０に対して回動可能に支持されている。レバー４０は、アーム部４１の他端が湾曲面４５を有する押圧部４６とされている。
【００３２】
第２コネクタハウジング２０に回動可能に支持されたレバー４０は、挿抜方向Ａに沿った離脱操作位置と、挿抜方向Ａに直交する方向に沿う本嵌合操作位置との間で回動する。
レバー４０には、それぞれのアーム部４１における第２コネクタハウジング２０側にメインロック片５１が形成されている。メインロック片５１は、アーム部４１の延在方向に沿って形成されている。メインロック片５１は、レバー４０が本嵌合操作位置に配置された状態で、第２コネクタハウジング２０のメインロック突起２８を係止する。これにより、レバー４０は、メインロック片５１がメインロック突起２８を係止することで、本嵌合操作位置でロックされる。そして、このメインロック突起２８とメインロック片５１とから、メインロック部ＭＲが構成されている（図１参照）。
【００３３】
図６は、レバー４０を断面視した仮嵌合状態の電源回路遮断装置１の側面図である。
図６に示すように、レバー４０には、連結部４２にサブロック板部６０が一体に形成されている。サブロック板部６０は、ロック解除部６１と、一対の係止爪６２とを有している。サブロック板部６０は、レバー４０における離脱操作位置から本嵌合操作位置への回動方向前方側へ突設されている。係止爪６２は、ロック解除部６１の両側に形成されており、連結部４２と反対側に設けられている。このサブロック板部６０は、本嵌合操作位置のレバー４０が離脱操作位置へ向かって回動される際に、その回動途中で係止爪６２が、第２コネクタハウジング２０に形成されたサブロック爪２９を係止する。これにより、本嵌合操作位置から離脱操作位置へ向かって回動されるレバー４０が回動途中で一旦ロックされる。レバー４０は、回動途中でロックされる位置が仮嵌合操作位置（図６に示す位置）とされている。そして、このサブロック爪２９と係止爪６２とから、サブロック部ＳＲが構成されている。また、サブロック板部６０は、ロック解除部６１を押圧することで弾性変形し、係止爪６２がサブロック爪２９から離脱して係止状態が解除され、仮嵌合操作位置でのレバー４０のロックが解除される。サブロック部ＳＲは、レバー４０が本嵌合操作位置に配置された状態で、ロック解除部６１及び係止爪６２を有するサブロック板部６０が、第１コネクタハウジング１０のフランジ部１０ａに形成された収容部１９内に収容された状態となる。
【００３４】
次に、電源回路遮断装置１において、第１コネクタハウジング１０に対して第２コネクタハウジング２０を嵌合及び離脱させる場合について説明する。
図７〜図１０は、着脱操作状態の電源回路遮断装置１を示す図である。図１１〜図１４は、本嵌合状態の電源回路遮断装置１を示す図である。図１５〜図１８は、仮嵌合状態の電源回路遮断装置１を示す図である。
【００３５】
（嵌合させる場合）
第１コネクタハウジング１０に第２コネクタハウジング２０を嵌合させるには、第１コネクタハウジング１０に対して、レバー４０を離脱操作位置に配置させた第２コネクタハウジング２０を近接させる。そして、図７に示すように、第１コネクタハウジング１０の収容筒部１２に、第２コネクタハウジング２０の内周筒部２２が嵌め込まれた着脱操作状態とする。
【００３６】
図８の（ａ），（ｂ）及び図９の（ａ），（ｂ）に示すように、この着脱操作状態では、第２端子２４の接点板部２５が第１端子１３の雄端子部１４から離間されている。つまり、メインスイッチ部ＭＳｗはオフ状態であり、電源線２同士が非接続状態とされている。また、図８の（ａ），（ｂ）及び図１０の（ａ），（ｂ）に示すようにショート端子２６の雄端子部２７もサブ端子４から離間されている。つまり、サブスイッチ部ＳＳｗはオフ状態であり、サブ端子４に接続された信号線３同士が非接続状態とされている。
【００３７】
この着脱操作状態において、離脱操作位置のレバー４０を本嵌合操作位置へ向かって回動させる。すると、レバー４０の押圧部４６の湾曲面４５が第１コネクタハウジング１０の側壁部１１に形成された支点突起１１ａに当接して摺動する。これにより、第１コネクタハウジング１０と第２コネクタハウジング２０との間に嵌合力が付与され、第２コネクタハウジング２０が第１コネクタハウジング１０に引き込まれる。
【００３８】
図１１に示すように、レバー４０が本嵌合操作位置に達すると、第１コネクタハウジング１０と第２コネクタハウジング２０とが互いに完全嵌合した本嵌合状態とされる。この本嵌合状態で、レバー４０のメインロック片５１が第２コネクタハウジング２０のメインロック突起２８を係止し、レバー４０の不用意な回動が規制される。つまり、メインロック部ＭＲによって第１コネクタハウジング１０と第２コネクタハウジング２０とが互いに完全嵌合した本嵌合状態に維持される。
【００３９】
図１２の（ａ），（ｂ）及び図１３の（ａ），（ｂ）に示すように、この本嵌合状態では、第２端子２４の接点板部２５が第１端子１３の雄端子部１４に接触される。つまり、メインスイッチ部ＭＳｗがオン状態となり、第１端子１３に接続された電源線２同士が第２端子２４を介して電気的に接続される。また、図１２の（ａ），（ｂ）及び図１４の（ａ），（ｂ）に示すようにショート端子２６の雄端子部２７がサブ端子４に接続される。つまり、サブスイッチ部ＳＳｗがオン状態となり、サブ端子４に接続された信号線３同士がショート端子２６を介して電気的に接続される。
【００４０】
（離脱させる場合）
第１コネクタハウジング１０から第２コネクタハウジング２０を離脱させるには、本嵌合操作位置に配置されたレバー４０の連結部４２を把持して引き上げる。すると、レバー４０のメインロック片５１が第２コネクタハウジング２０のメインロック突起２８から外れ、本嵌合状態を維持するメインロック部ＭＲによるレバー４０のロックが解除され、レバー４０が離脱操作位置方向へ回動される。
【００４１】
レバー４０を離脱操作位置へ向かって回動させると、レバー４０の回動に伴って、レバー４０の押圧部４６が第１コネクタハウジング１０のフランジ部１０ａの表面に当接して摺動する。これにより、第１コネクタハウジング１０と第２コネクタハウジング２０との間に離脱力が付与される。したがって、第１コネクタハウジング１０に対して本嵌合状態とされていた第２コネクタハウジング２０が第１コネクタハウジング１０から引き離されて離脱する方向へ変位する。
【００４２】
図１５に示すように、回動させているレバー４０が仮嵌合操作位置に達すると、サブロック部ＳＲを構成するサブロック板部６０の係止爪６２が第２コネクタハウジング２０のサブロック爪２９を係止することで、レバー４０が仮嵌合操作位置でロックされて回動が規制される（図６参照）。これにより、第１コネクタハウジング１０と第２コネクタハウジング２０とが仮嵌合状態とされる。
【００４３】
図１６の（ａ），（ｂ）及び図１８の（ａ），（ｂ）に示すように、仮嵌合状態とされることで、サブ端子４からショート端子２６の雄端子部２７が引き抜かれる。つまり、サブスイッチ部ＳＳｗがオフ状態とされ、信号線３同士の電気的接続が解除される。
【００４４】
また、図１６の（ａ），（ｂ）及び図１７の（ａ），（ｂ）に示すように、仮嵌合状態とされると、メインスイッチ部ＭＳｗでは、第２端子２４の接点板部２５から第１端子１３の雄端子部１４が抜き出され、接点板部２５の３つの接触片３５Ａ，３５Ｂのうちの中央の接触片３５Ａよりも短い両側の接触片３５Ｂが雄端子部１４から外れる。これにより、雄端子部１４には、接点板部２５の３つの接触片３５Ａ，３５Ｂのうちの中央の接触片３５Ａだけが接触した状態とされる。これにより、メインスイッチ部ＭＳｗでは、第２端子２４の接点板部２５における一つの接触片３５Ａが第１端子１３の雄端子部１４の突条部１４ａに接触してオン状態に維持される。つまり、メインスイッチ部ＭＳｗがオン状態のままとなり、電源線２同士の電気的接続状態が維持される。
【００４５】
この仮嵌合状態からサブロック部ＳＲにおけるサブロック板部６０のロック解除部６１を押圧する。すると、ロック解除部６１を押圧することでサブロック板部６０が弾性変形し、係止爪６２がサブロック爪２９から離脱して係止状態が解除され、仮嵌合操作位置でのサブロック部ＳＲによるレバー４０のロックが解除される。
【００４６】
サブロック部ＳＲによるレバー４０のロックを解除したら、回動可能となったレバー４０を再び離脱操作位置へ向かって回動させる。すると、レバー４０の回動によって第１コネクタハウジング１０と第２コネクタハウジング２０との間に再び離脱力が付与され、第１コネクタハウジング１０に対して第２コネクタハウジング２０が引き離され、第１コネクタハウジング１０と第２コネクタハウジング２０とが離脱可能状態とされる（図７参照）。
【００４７】
このように、仮嵌合状態から第１コネクタハウジング１０に対して第２コネクタハウジング２０が離脱する方向へ変位して離脱可能状態となると、第１端子１３の雄端子部１４に接触していた第２端子２４の接点板部２５の中央の接触片３５Ａが外れる。これにより、メインスイッチ部ＭＳｗがオフ状態とされ、電源線２同士の電気的接続状態が解除される。
【００４８】
その後、第１コネクタハウジング１０から第２コネクタハウジング２０を引き離すと、第２コネクタハウジング２０の内周筒部２２が第１コネクタハウジング１０の収容筒部１２から引き抜かれ、第１コネクタハウジング１０から第２コネクタハウジング２０が離脱される（図１及び図２参照）。
【００４９】
このように、上記の電源回路遮断装置１では、メインスイッチ部ＭＳｗは、メインロック部ＭＲでロックされた本嵌合状態及びサブロック部ＳＲでロックされた仮嵌合状態でオン状態とされ、サブスイッチ部ＳＳｗは、メインロック部ＭＲでロックされた本嵌合状態でオン状態とされ、サブロック部ＳＲでロックされた仮嵌合状態でオフ状態とされる。したがって、サブスイッチ部ＳＳｗがオフ状態とされて信号線３同士の電気的接続状態が解除された後、サブロック部ＳＲによるロックを解除しないとメインスイッチ部ＭＳｗをオフ状態として電源線２同士の電気的接続状態を解除することができない。これにより、信号線３同士の接続解除直後に電源線２同士の接続が解除されることで生じる残留電流によるアークやスパーク等の発生を抑制することができる。
【００５０】
ここで、メインスイッチ部ＭＳｗを構成する参考例に係る第２端子２４Ａについて説明する。
図１９は、参考例に係る第２端子２４Ａの斜視図である。
図１９に示すように、参考例に係る第２端子２４Ａは、それぞれの接点板部２５の３つの接触片３５が同一長さとされている。したがって、この第２端子２４Ａでは、雄端子部１４に対する各接触片３５の接点３６の接触位置が、第１コネクタハウジング１０に対する第２コネクタハウジング２０の離脱方向で同一位置とされている。
【００５１】
そして、この第２端子２４Ａを第２コネクタハウジング２０に設けた場合、第１コネクタハウジング１０から離脱する方向へ移動していた第２コネクタハウジング２０が仮嵌合状態となって一旦停止すると、雄端子部１４の突条部１４ａに対して摺接していた第２端子２４Ａの各接触片３５が一旦停止される。すると、サブロック部ＳＲによるロックを解除してレバー４０を再度回動させる際に、雄端子部１４の突条部１４ａと第２端子２４Ａの各接触片３５との間には、摺接時に生じていた動摩擦より大きな静摩擦が生じることとなる。したがって、レバー４０の再回動時に大きな操作力が必要となる。
【００５２】
これに対して、本実施形態に係る電源回路遮断装置１によれば、本嵌合状態で全ての接触片３５Ａ，３５Ｂが第１端子１３の雄端子部１４に接触されていた第２端子２４は、仮嵌合状態とされた際に、一つの接触片３５Ａが第１端子１３の雄端子部１４の突条部１４ａに接触されるとともに両側の接触片３５Ｂが第１端子１３の雄端子部１４から離脱される。したがって、仮嵌合状態から第１コネクタハウジング１０に対して第２コネクタハウジング２０を離脱させる際に必要となる操作力を大幅に低減させることができ、操作性を高めることができる。
【００５３】
また、第１コネクタハウジング１０に対して第２コネクタハウジング２０を嵌合させる際には、その嵌合途中で第２端子２４の一つの接触片３５Ａが第１端子１３の雄端子部１４の突条部１４ａに接触した後に両側の接触片３５Ｂが第１端子１３の雄端子部１４の突条部１４ａに接触する。したがって、嵌合作業時に要する操作力が段階的に大きくなるため、嵌合作業時に要する操作力が一度に大きくなることによる作業者への負担を軽減させることができる。
【００５４】
なお、車両の電源装置等に用いられる電源回路遮断装置１は、一般に、車両の走行時よりも通電電流値が低い停止時に第１コネクタハウジング１０に対して第２コネクタハウジング２０を離脱させる離脱操作が行われる。したがって、仮嵌合状態において、第１端子１３の雄端子部１４に対して第２端子２４の中央の接触片３５Ａの接点３６だけが接触した低通電状態であっても、問題となることはない。
【００５５】
また、本実施形態に係る電源回路遮断装置１によれば、第２コネクタハウジング２０が本嵌合状態から仮嵌合状態とされた際に、サブロック部ＳＲによって第２コネクタハウジング２０が一旦ロックされて第１コネクタハウジング１０に対する第２コネクタハウジング２０の離脱操作が一旦停止される。したがって、サブスイッチ部ＳＳｗがオフ状態とされた直後にメインスイッチ部ＭＳｗがオフ状態とされることで生じる残留電流によるアークやスパーク等の発生を確実に抑制することができる。
【００５６】
さらに、本実施形態に係る電源回路遮断装置１によれば、３つの接触片３５Ａ，３５Ｂのうちの両側の接触片３５Ｂを短くしている。つまり、中央の接触片３５Ａが両側の接触片３５Ｂよりも長くされて仮嵌合状態において第１端子１３の雄端子部１４の突条部１４ａに接触する構造とされている。これにより、仮嵌合状態において第１端子１３に対して第２端子２４に傾きが生じていたとしても、その傾きに影響されることなく中央の接触片３５Ａを第１端子１３の雄端子部１４の突条部１４ａに接触させた状態にできる。これにより、寸法公差の設定の緩和及び小型化を図ることができ、コストを抑えることができる。
【００５７】
また、本実施形態に係る電源回路遮断装置１によれば、レバー４０を回動させることで、第１コネクタハウジング１０に対する第２コネクタハウジング２０の嵌合及び離脱を小さな操作力で容易に行うことができる。これにより、より操作性に優れた電源遮断回路装置を提供できる。
【００５８】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００５９】
例えば、上記実施形態では、回動されることで第２コネクタハウジング２０と第１コネクタハウジング１０との間に嵌合力及び離脱力を付与するレバー４０を設けたが、レバー４０は必ずしも設けなくてよい。
【００６０】
また、第１コネクタハウジング１０側にカム溝を設けるとともに、このカム溝に係合するカムピンをレバー４０に形成し、レバー４０が回動された際に、カムピンがカム溝に沿って移動することで第１コネクタハウジング１０と第２コネクタハウジング２０との間に嵌合力及び離脱力を付与させる構造としてもよい。
【００６１】
ここで、上述した本発明に係る電源回路遮断装置の実施形態の特徴をそれぞれ以下［１］〜［４］に簡潔に纏めて列記する。
［１］  第１コネクタハウジング（１０）と、
前記第１コネクタハウジング（１０）に嵌合及び離脱される第２コネクタハウジング（２０）と、
前記第１コネクタハウジング（１０）に対する前記第２コネクタハウジング（２０）の嵌合及び離脱によってオン・オフされるメインスイッチ部（ＭＳｗ）及びサブスイッチ部（ＳＳｗ）と、を備えた電源回路遮断装置（１）であって、
前記メインスイッチ部（ＭＳｗ）は、前記第１コネクタハウジング（１０）に設けられた第１端子（１３）と、前記第２コネクタハウジング（２０）に設けられて前記第１端子（端子１３）に対して前記第１コネクタハウジング（１０）に対する前記第２コネクタハウジング（２０）の挿抜方向（Ａ）に摺接して導通する複数の接触片（３５Ａ，３５Ｂ）を有する第２端子（２４）とを有し、前記第１コネクタハウジング（１０）に対して前記第２コネクタハウジング（２０）を完全嵌合させた本嵌合状態及び前記本嵌合状態から前記第２コネクタハウジング（２０）が離脱方向へ変位されて前記第１コネクタハウジング（１０）に対して一部が嵌合された仮嵌合状態でオン状態とされ、
前記サブスイッチ部（ＳＳｗ）は、前記本嵌合状態でオン状態とされ、
前記第２端子（２４）は、前記本嵌合状態で全ての前記接触片（３５Ａ，３５Ｂ）が前記第１端子（１３）に接触され、前記仮嵌合状態で一部の前記接触片（３５Ａ）が前記第１端子（１３）に接触されるとともに他の前記接触片（３５Ｂ）が前記第１端子（１３）から離脱される
ことを特徴とする電源回路遮断装置。
［２］  前記第１コネクタハウジング（１０）に対して前記本嵌合状態から離脱方向へ変位される前記第２コネクタハウジング（２０）を前記仮嵌合状態で一旦ロックするサブロック部（ＳＲ）を備える
ことを特徴とする上記［１］に記載の電源回路遮断装置。
［３］  前記第２端子（２４）は、
前記挿抜方向（Ａ）に沿って前記第１端子（１３）へ向かって延在する３つの前記接触片（３５Ａ，３５Ｂ）を有し、
中央の前記接触片（３５Ａ）に対して両側の前記接触片（３５Ｂ）が短くされ、
前記仮嵌合状態において、第１端子（１３）に対して、中央の接触片（３５Ａ）が接触して両側の接触片（３５Ｂ）が離脱する
ことを特徴とする上記［１］または［２］に記載の電源回路遮断装置。
［４］  前記第２コネクタハウジング（２０）は、
回動可能に支持されたレバー（４０）を備え、
前記レバー（４０）が回動されることで、前記第１コネクタハウジング（１０）に対する嵌合力及び離脱力が付与される
ことを特徴とする上記［１］〜［３］のいずれか一つに記載の電源回路遮断装置。
【符号の説明】
【００６２】
１…電源回路遮断装置
１０…第１コネクタハウジング
１３…第１端子
２０…第２コネクタハウジング
２４…第２端子
３５Ａ，３５Ｂ…接触片
４０…レバー
ＭＳｗ…メインスイッチ部
ＳＳｗ…サブスイッチ部
ＳＲ…サブロック部
【図１】
2020145040.tif 000003
【図２】
2020145040.tif 000004
【図３】
2020145040.tif 000005
【図４】
2020145040.tif 000006
【図５】
2020145040.tif 000007
【図６】
2020145040.tif 000008
【図７】
2020145040.tif 000009
【図８】
2020145040.tif 000010
【図９】
2020145040.tif 000011
【図１０】
2020145040.tif 000012
【図１１】
2020145040.tif 000013
【図１２】
2020145040.tif 000014
【図１３】
2020145040.tif 000015
【図１４】
2020145040.tif 000016
【図１５】
2020145040.tif 000017
【図１６】
2020145040.tif 000018
【図１７】
2020145040.tif 000019
【図１８】
2020145040.tif 000020
【図１９】
2020145040.tif 000021